(57)【特許請求の範囲】
【請求項１】
パチンコ球を貯留可能な皿本体と、該皿本体に貯留されたパチンコ球を抜き取る球抜き孔と、皿本体の底部裏面に装着されかつ上面が開放される浅箱形の枠板と、皿本体の底部と枠板との間に形成される摺動空間内に収納され、スプリングによって球抜き孔を閉塞する位置に付勢されると共に横方向への摺動によって球抜き孔を開放するシャッター板と、該シャッター板を摺動させる操作部材とを備えた球抜き装置において、
前記枠板の前側壁にシャッター板の移動量を規制するレール部を形成すると共に該レール部の一端に切欠き部を設け、またシャッター板の裏側にレール部が嵌入する嵌挿溝を設け、該嵌挿溝の一個所から一方の内側面と他方の内側面とに互いに左右の外側端に向って広がるテーパー面を形成し、一方のテーパー面の終端部に、シャッター板が球抜き孔を開放した位置でテーパー面が前側壁に当接するよう水平に傾動して前記切欠き部に係脱自在に係合し得る係止突片を設けたことを特徴とするパチンコ機における球貯留皿の球抜き装置。
【発明の詳細な説明】
【０００１】
【発明の属する技術分野】
本発明は、パチンコ機の前面下部に設けられた球貯留皿の球抜き装置であって、特に球抜き孔を開閉するシャッター板を球抜き位置に係止保持することができるようにしたパチンコ機における球貯留皿の球抜き装置に関するものである。
【０００２】
【従来の技術】
従来、この種球抜き装置として、例えば、実公平１−３６５４３号公報に開示されるように、開閉板を組み込んだ浅箱形のケースの前壁に開閉板の移動量を規制し得るレール部を形成し、該レール部に第１，２の係止溝を設け、該係止溝に開閉板裏面の突起を上から係脱自在に係合させて開閉板を球抜き孔の開放位置で保持するようにしたもの、または特公平３−５３９５４号公報に開示されるように、球受皿下面に固着される支持枠内に摺動体が球抜き孔を開放する位置で該摺動体を移動しないよう拘束する係止部材を設け、また摺動体には前記係止部材の拘束を解除して摺動体を球抜き孔を閉塞する位置に戻す押圧部材とを設けたものが有る。
【０００３】
【発明が解決しようとする課題】
しかしながら、前者の球抜き装置は開閉板の自重でその突起が係止溝に上から嵌り込むだけなので、球抜き時の衝撃などによって開閉板が浮上して係止が外れ、球抜きの途中に摺動板が球抜き孔を閉じてしまうといった誤動作が有った。また、後者の球抜き装置は係止部材がばねにより自動的に突入しその側面で摺動体の移動を阻止しているので、前者のような誤動作は生じないが、係止部材の拘束を解除するため摺動体に押圧部材を設けるなど全体の部品点数が多くなり、このため球抜き装置の製作が煩雑となるばかりか製作コストも高くなるという課題が有った。
【０００４】
そこで、本発明は上記課題を解決すべくなされたもので、構造簡単にして、製作が容易となり、しかも球抜き途中にシャッター板が球抜き孔を閉じてしまうといった誤動作もないパチンコ機における球貯留皿の球抜き装置を提供することを目的としている。
【０００５】
【課題を解決するための手段】
かかる目的を達成するめ本発明は、パチンコ球を貯留可能な皿本体と、該皿本体に貯留されたパチンコ球を抜き取る球抜き孔と、皿本体の底部裏面に装着されかつ上面が開放される浅箱形の枠板と、皿本体の底部と枠板との間に形成される摺動空間内に収納され、スプリングによって球抜き孔を閉塞する位置に付勢されると共に横方向への摺動によって球抜き孔を開放するシャッター板と、該シャッター板を摺動させる操作部材とを備えた球抜き装置において、
前記枠板の前側壁にシャッター板の移動量を規制するレール部を形成すると共に該レール部の一端に切欠き部を設け、またシャッター板の裏側にレール部が嵌入する嵌挿溝を設け、該嵌挿溝の一個所から一方の内側面と他方の内側面とに互いに左右の外側端に向って広がるテーパー面を形成し、一方のテーパー面の終端部に、シャッター板が球抜き孔を開放した位置でテーパー面が前側壁に当接するよう水平に傾動して前記切欠き部に係脱自在に係合し得る係止突片を設けた構成よりなる。
【０００６】
【作用】
常態では、球抜き孔はスプリングの力によりシャッター板で閉塞されている。そこで、球抜きをする時は、シャッター板をスプリングの力に抗して球抜き孔を開放させる位置まで移動させる。シャッター板がこの位置にくると、嵌挿溝一端の係止突片がレール部の前側壁から外れテーパー面が前側壁に当接するよう水平に傾動して係止突片が切欠き部に係合する。これにより、操作部材から手を離してもシャッター板は球抜き孔を開放した状態に保持される。また、この状態ではスプリングの力により係止突片が切欠き部にしっかりと係合しているので、球抜き時の衝撃を受けても外れるようなことがない。一方、この状態で係止突片と反対側の操作部材を手前で押すと、シャッター板が傾動して元の位置に戻り切欠き部から係止突片が外れる。そして、シャッター板はスプリングの力によって移動して元の位置に戻り、球抜き孔を閉塞する。
【０００７】
【発明の実施の形態】
以下、本発明に係る球貯留皿の球抜き装置の実施の形態を図面と共に説明する。図１は本発明が適用されるパチンコ機の正面図である。パチンコ機１は側枠２の前面に前面枠３を開閉自在に装着している。前面枠３の前面にはガラス扉枠４及び前板５が開閉自在に装着される。そして、前板５の前面には貯留されるパチンコ球を打球発射部（図示せず。）へ供給するための打球供給皿６が装着され、また前記前面枠３の下部前面には打球供給皿６から溢れるパチンコ球を貯留する球貯留皿７が装着される。
【０００８】
図２は球貯留皿７の斜視図、図３はその分解斜視図である。球貯留皿７はパチンコ球を貯留する皿部８と、該皿部８が嵌合される凹部９及び灰皿１０を備えた皿枠１１と、該皿枠１１の前面部及び底部を覆う装飾用のカバー枠１２とからなり、これらをビス３２締めにより一体化することで皿本体６ａを構成するようにしている。
【０００９】
前記皿部８及び皿枠１１の凹部９底面には互いに合致する円形状の球抜き孔１３及び１４が開設されている。また、前記カバー枠１２の底板部１５裏側には球抜き孔１３，１４を開閉するシャッター板１６を支持するための枠板１７がビス３２締めされている。該枠板１７は上面が開放される浅箱形に形成され、球抜き孔１３，１４と相対する位置に同形同大の透孔１８が設けられている。
【００１０】
前記シャッター板１６は板状をなし、図４，図５に示すようにカバー枠１２の底板部１５に設けた開口１９と枠板１７によって形成される摺動空間内に左右横方向へ摺動自在に収納されると共に、その前部にカバー枠１２の外側に位置する操作部材２０を一体に備えている。そして、図６及び図７に示すように、操作部材２０と枠板１７内のそれぞれ右端部に突設させた係止片２１，２２にスプリング２３の両端が係止され、該スプリング２３の牽引によって常時シャッター板１６を球抜き孔１３，１４を閉塞する位置に付勢している。
【００１１】
シャッター板１６の裏面には図４，図７に示すように左右方向に貫通する一直線状の嵌挿溝２４が設けられている。この嵌挿溝２４はその一個所から内側後面の右側と内側前面の左側とが互いに外側端に向って広がるテーパー面２５ａ，２５ｂに形成されており、内側後面のテーパー面２５ｂの終端部に内側を向く係止突片２６が設けられている。該係止突片２６の先端面２６ａは嵌挿溝２４のテーパー面２５ａでない面２４ａと同一面となるようにしてある。２７は操作部材２０の前面右端寄りに突出形成される指掛け部である。
【００１２】
一方、枠板１７の周縁に立設される側壁２８のうち、前側壁２８ａには透孔１８の右端の前方位置で上端に段部２９を設けて該段部２９より左側の部分の上端縁を水平に切除してレール部３０が形成される。さらに該レール部３０の左端を切除して切欠き部３１が設けられている。そして、シャッター板１６裏面の嵌挿溝２４にレール部３０を嵌入させ、スプリング２３で牽引することにより、操作部材２０が段部２９に衝止されて停止する。この状態ではシャッター板１６が図６及び図７実線のように透孔１８と共に球抜き孔１３，１４を閉塞している。
【００１３】
そして、皿部８に貯留されるパチンコ球を抜き取るには、指先で操作部材２０の指掛け部２７に指を掛けてシャッター板１６を図７に示す実線位置から矢印で示すように左側に移動させると、球抜き孔１３，１４が開放される。これと同時にシャッター板１６は、球抜き孔１３，１４を開放する位置に達すると、前側壁２８ａの前面に当接していた係止突片２６がその支持を失い、スプリング２３の牽引により嵌入溝２４のテーパー面２５ａ，２５ｂが前側壁２８ａに当接するよう水平に傾動する。これに伴い、係止突片２６がレール部３０終端に設けた切欠き部３１に係止される。この状態では、操作部材２０から手を放しても球抜き孔１３，１４の開放状態は維持され、皿部８のパチンコ球を抜き取ることができる。しかも、シャッター板１６はスプリング２３により常に牽引されているので、切欠き部３１から係止突片２６が容易に外れるようなこともない。
【００１４】
皿部８の球抜きが終了すれば、操作部材２０前側から指掛け部２７を指先で押すと、シャッター板１６が前記と逆に傾動して係止突片２６が切欠き部３１から外れ、更にシャッター板１６がスプリング２３の牽引で右方に引張られて図７実線の位置に戻り、球抜き孔１３，１４を閉塞する。
【００１５】
【発明の効果】
以上述べたように本発明によれば、スプリングにより付勢されるシャッター板裏面の嵌挿溝に枠板のレール部を嵌入させ、嵌挿溝端の係止突片をレール部の切欠き部に係合させて球抜き孔を開放する位置にシャッター板を保持することができるようにしたので、球抜き時に衝撃で係止突片が切欠き部から外れるようなことはなく開放位置での保持が確実に行なえる。また、これら部品点数が少ないことから製作が容易となり、製作コストも低廉になし得るという効果を有する。
【図面の簡単な説明】
【図１】本発明が適用されるパチンコ機の正面図。
【図２】球貯留皿の斜視図。
【図３】図２の分解斜視図。
【図４】シャッター板の裏面図。
【図５】球抜き孔が閉塞された状態を示す要部の側面断面図。
【図６】球抜き孔が開閉する状態をカバー枠の一部を切欠いて示す斜視図。
【図７】図５の要部平面断面図。
【符号の説明】
６ａ              皿本体
１３，１４        球抜き孔
１６              シャッター板
１７              枠板
２０              操作部材
２３              スプリング
２４              嵌挿溝
２５ａ，２５ｂ    テーパー面
２６              係止突片
２８ａ            前側壁
３０              レール部
３１              切欠き部
【図１】
0003851688.tif 000002
【図２】
0003851688.tif 000003
【図３】
0003851688.tif 000004
【図４】
0003851688.tif 000005
【図５】
0003851688.tif 000006
【図６】
0003851688.tif 000007
【図７】
0003851688.tif 000008